(57)【要約】無線装置の伝送出力は、データメッセージ内の誤りが閾値レベルを超えるという決定に応じて適合される。データメッセージは、それぞれ第１と第２のスペクトル領域でオーディオデータと非オーディオデータに対応するチャネルを介して、利用可能なオーディオ情報と共に同時に伝送される。
2005538580.tif 000002
【特許請求の範囲】
【請求項１】
基地局で受信する各スペクトル領域で音声とデータを同時に送信する送信機と、
前記送信機により送信される音声とデータのうちの少なくとも１つの受信品質を示す前記基地局からの少なくとも１つの信号を受信する受信機と、
前記基地局の信号に応じ、前記送信機により送信される音声とデータのうちの少なくとも１つの受信品質に応じて前記送信機の出力レベルを調整する手段と
を有する移動体通信端末。
【請求項２】
請求項１に記載の端末であって、
前記出力レベルが、前記基地局の信号に応じて、所定の量だけ適合される端末。
【請求項３】
請求項１に記載の端末であって、
前記送信機の前記出力レベルが、前記基地局の信号で指定された量に従って適合される端末。
【請求項４】
プロセッサにより実行されると、
無線装置からデータメッセージを受信し、第１のスペクトル領域でオーディオデータを伝搬し、第２のスペクトル領域で非オーディオデータを伝搬する各キャリア周波数を有する関連するチャネルを介して通信し、前記データメッセージは、前記第２のスペクトル領域を介して受信され、それに関連して伝送出力レベルを有するステップと、
前記データメッセージを分析して前記伝送出力レベルが適切であるか否かを決定するステップと、
前記通信チャネルの前記第２のスペクトル領域を介して前記無線装置にデータコマンドを送信し、前記データコマンドは、前記無線装置に前記伝送出力レベルを調整させるように適合されるステップと
を実行するソフトウェア命令を有するコンピュータ読取可能媒体。
【請求項５】
複数の通信チャネルを利用する無線通信システムにおいて、
各チャネルは、それに関連して第１のスペクトル領域でオーディオデータを伝搬し、第２のスペクトル領域で非オーディオデータを伝搬する各キャリア周波数を有し、
通信チャネルの前記第２のスペクトル領域を介して無線装置からデータメッセージを受信し、前記データメッセージはそれに関連して伝送出力レベルを有し、
前記データメッセージを分析して前記伝送出力レベルが適切であるか否かを決定し、
前記通信チャネルの前記第２のスペクトル領域を介して前記無線装置にデータコマンドを伝送し、前記データコマンドは、前記無線装置に前記伝送出力レベルを調整させるように適合されることを有する方法。
【請求項６】
請求項５に記載の方法であって、
前記分析するステップが、前記伝送出力レベルが減少してもよいか否かを決定することを有する方法。
【請求項７】
請求項６に記載の方法であって、
前記分析するステップが、出力レベルの減少量を決定することを更に有し、
前記データコマンドが、前記無線装置に所定の量だけ前記伝送出力レベルを減少させるように適合される方法。
【請求項８】
請求項５に記載の方法であって、
前記分析するステップが、前記データメッセージが閾値レベルを超える誤りを有するか否かを決定することを有し、
誤りが前記閾値レベルを超える場合に、前記データコマンドが、前記無線装置に所定の量だけ前記伝送出力を増加させるように適合される方法。
【請求項９】
請求項５に記載の方法であって、
前記分析するステップが、前記データメッセージが閾値レベルを超える誤りを有するか否かを決定することを有し、
誤りが前記閾値レベルを超える場合に、前記データコマンドが、前記無線装置に前記閾値レベルを超える前記誤りを回避するように計算された量だけ前記伝送出力を増加させるように適合される方法。
【請求項１０】
請求項５に記載の方法であって、
前記受信するステップと分析するステップと伝送するステップが、前記無線装置に最小伝送出力で伝送させるように定期的に繰り返される方法。
【請求項１１】
請求項５に記載の方法であって、
前記通信チャネルの前記第１のスペクトル領域のオーディオデータが、前記通信チャネルの前記第２のスペクトル領域の非オーディオデータと同時に伝搬される方法。
【請求項１２】
複数の通信チャネルを利用する無線通信システムにおいて、
各チャネルが、それに関連して第１のスペクトル領域でオーディオデータを伝搬し、第２のスペクトル領域で非オーディオデータを伝搬する各キャリア周波数を有し、
（ａ）通信チャネルの前記第２のスペクトル領域を介してベースユニットにデータメッセージを伝送し、前記データメッセージはそれに関連して伝送出力レベルを有し、
（ｂ）前記通信チャネルの前記第２のスペクトル領域を介して前記ベースユニットからデータコマンドメッセージを受信し、
（ｃ）前記データコマンドに含まれる伝送出力調整コマンドに応じて、前記伝送出力レベルを調整することを特徴とする方法。
【請求項１３】
請求項１２に記載の方法であって、
前記伝送出力調整コマンドが、適切な伝送出力レベルを示す方法。
【請求項１４】
請求項１２に記載の方法であって、
前記伝送出力調整コマンドが、前記伝送出力レベルが所定の量だけ減少すべきか否かを示す方法。
【請求項１５】
請求項１２に記載の方法であって、
前記伝送出力調整コマンドが、前記伝送出力レベルが所定の量だけ増加すべきか否かを示す方法。
【請求項１６】
各スペクトル領域で音声とデータを同時に送信するハンドセット送信機と、
前記ハンドセット送信機により送信される音声とデータを受信し、前記受信した音声とデータのうちの少なくとも１つの品質を示す信号に応じて送信する基地局と、
前記基地局の信号を受信するハンドセット受信機と、
前記基地局の信号に応じ、前記送信機により送信される音声とデータのうちの少なくとも１つの受信品質に応じて前記送信機の出力レベルを調整する手段と
を有するコードレス電話システム。
【請求項１７】
基地局で受信する各スペクトル領域で音声とデータを同時に送信し、
前記送信機により送信される音声とデータのうちの少なくとも１つの受信品質を示す前記基地局からの少なくとも１つの信号を受信し、
送信機により送信される音声とデータのうちの少なくとも１つの前記受信品質に応じて前記送信機の出力レベルを調整することを有する無線通信方法。
【発明の詳細な説明】
【技術分野】
【０００１】
本発明は、概して、アナログコードレス電話システムと、インターコム（ｉｎｔｅｒｃｏｍ）やコンピュータやテレビのようなその他の多様な装置に関するものであり、特に、選択的な伝送出力レベルで複数の利用可能な無線周波数チャネルのうちの少なくとも１つを介して通信するように構成された装置に関するものである。
【背景技術】
【０００２】
従来のアナログ９ＭＨｚ又は２．４ＧＨｚ帯の住宅用コードレス電話システムのような無線通信装置は、必然的にバッテリの使用を必要とする。一般的に、コードレス電話システムのハンドセットのバッテリは、ハンドセットが基地局の適切なクレードルに挿入されると再充電される再充電可能バッテリを有する。十分な頻度でハンドセットのバッテリが再充電されないと、ハンドセットの動作ができなくなるところまでハンドセットのバッテリが使い果たされる。
【発明の開示】
【発明が解決しようとする課題】
【０００３】
データメッセージ内の誤りが閾値レベルを超えるという決定に応じて、無線装置の伝送出力を適合させる方法と装置である。データメッセージは、それぞれ第１と第２のスペクトル領域でオーディオデータと非オーディオデータをサポートするチャネルを介して利用可能なオーディオ情報と共に伝送される。
【課題を解決するための手段】
【０００４】
複数の通信チャネルを利用する無線通信システムにおいて、各チャネルは、それに関連して第１のスペクトル領域でオーディオデータを伝搬し、第２のスペクトル領域で非オーディオデータを伝搬する各キャリア周波数を有し、本発明の実施例による方法は、通信チャネルの第２のスペクトル領域を介して無線装置からデータメッセージを受信し、前記データメッセージはそれに関連して伝送出力レベルを有し、データメッセージを分析して伝送出力レベルが適切であるか否かを決定し、通信チャネルの第２のスペクトル領域を介して無線装置にデータコマンドを伝送し、前記データコマンドは、無線装置に伝送出力レベルを調整させるように適合される。
【発明を実施するための最良の形態】
【０００５】
本発明の更に完全な理解は、図面と共に以下の説明を検討することで得られることができる。
【０００６】
理解を促進するため、図面で共通の同一の要素を示すために、可能な場合には同一の参照数字が使用される。
【０００７】
図１は、無線通信システムのハイレベルのブロック図を表したものであり、例示的に、コードレス電話１００と、少なくとも１つの装置１２０と、少なくとも１つの遠隔無線装置１４０を表している。コードレス電話システム１００は、コードレスベースユニットと呼ばれることがあるコードレス基地局１０２と、それぞれコードレス電話ユニットと呼ばれることがある複数のコードレスハンドセット１０４とを有する。複数のコードレスハンドセット１０４は、図１でコードレスハンドセット１からＮとして示されているコードレスハンドセット１０８−１１２を有する。
【０００８】
コードレス電話システム１００は、エンドユーザに比較的小さい地理的領域内で無線電話通信を提供する。コードレス基地局１０２とコードレスハンドセット１０８は、無線周波数（ＲＦ）信号１０６を介して相互に通信する。コードレス基地局１０２は、住宅又はビジネスに一般的に提供されているような交流（ＡＣ）電源１１４と結合するインタフェースを有する。コードレス基地局１０２は有線１１６と結合するその他のインタフェースを有し、その他のインタフェースは、有線電話通信用の公衆交換電話ネットワーク（ＰＳＴＮ）にコードレス基地局１０２を結合する。
【０００９】
他のコードレスハンドセット１１０−１１２の代表のコードレスハンドセット１０８は、スピーカと、マイクロフォンと、ディスプレイと、ダイヤル用の従来のＤＴＭＦ（ｄｕａｌ−ｔｏｎｅ  ｍｕｌｔｉｐｌｅ  ｆｒｅｑｕｅｎｃｙ）キーを有するキーパッドとを有するユーザインタフェースを一般的に有する。コードレス基地局１０２は、任意選択で同一又は類似のインタフェースを有する。従って、コードレス基地局１０２、コードレスハンドセット１０８又は双方の装置は、電話呼出を行い、それを受信するために使用され得る。
【００１０】
遠隔装置１４０と装置１２０は、コードレス電話システム１００と互換性のある如何なる装置を有してもよい。装置１２０は、住宅又はビジネスに設置されているインターコム（ｉｎｔｅｒｃｏｍ）のような装置と、パーソナルコンピュータ（ＰＣ）又はラップトップのようなコンピュータ（インターネット若しくはＷＷＷ用のブラウザソフトウェアを備えたもの又は備えないもの）と、（関連するテープとＣＤプレイヤを含む）ＡＭ／ＦＭラジオ及びそのリモコンと、テレビ及びそのリモコンと、ビデオカメラレコーダ（ＶＣＲ）及びそのリモコンと、温度センサや天候センサや動き検出センサのようなセンサとを有してもよい。装置１２０と遠隔無線装置１４０は図２では別の装置として示されているが、遠隔無線インターコムのような単一の装置及び／又は住居に統合されてもよい。
【００１１】
データ・オーバー・ボイス（ＤｏＶ：Ｄａｔａ  ｏｖｅｒ  Ｖｏｉｃｅ）ハードウェアを含む図１の無線通信システム１００の更に詳細な拡大した説明は、“ＭＥＴＨＯＤＳ  ＡＮＤ  ＡＰＰＡＲＡＴＵＳ  ＦＯＲ  ＣＯＭＭＵＮＩＣＡＴＩＯＮ  ＩＮＦＯＲＭＡＴＩＯＮ  ＦＲＯＭ  Ａ  ＲＥＭＯＴＥ  ＷＩＲＥＬＥＳＳ  ＤＥＶＩＣＥ  ＴＯ  Ａ  ＣＯＲＤＬＥＳＳ  ＴＥＬＥＰＨＯＮＥ  ＳＹＳＴＥＭ”という題の同一出願人による米国特許出願（代理人管理番号ＰＴＵ０００００２）に提供されており、その特許出願の全てが参照として取り込まれる。この特許出願に開示された方法及び装置は、例えばコードレス電話システムがインターコムやコンピュータやテレビ等のような複数の他の装置と通信することを可能にする無線通信システムに関係する。
【００１２】
図１の無線通信システム１００は、オーディオ情報又は音声情報と、非オーディオ情報又は非音声情報の同時伝送を利用する。特に、この開示の中で、音声情報又はオーディオ情報は、キャリア信号に関して第１のスペクトル領域の無線周波数（ＲＦ）キャリア信号で変調された帯域制限のあるアナログオーディオ情報を有する。非オーディオ情報は、キャリア信号に関して第２のスペクトル領域のキャリア周波数で変調された符号化データ信号を例示的に有する。
【００１３】
本発明の一実施例において、音声情報又はオーディオ情報は、キャリア周波数ｆｃから約０から４ＫＨｚの第１のスペクトル領域で運ばれ、非オーディオデータは、１ＫＨｚの帯域幅を有し、キャリア周波数ｆｃから約１０ＫＨｚだけオフセットした第２のスペクトル領域で運ばれる。他のスペクトル割り当ても、本発明に関して使用されてもよい。更に、アナログオーディオ情報はキャリア周波数に容易に変調され、それ故に第１のスペクトル領域内で簡単に転送され得る。データが第１のスペクトル領域（又は減少した第１のスペクトル領域）内で転送され、オーディオ情報が第２のスペクトル領域（又は拡大した第２のスペクトル領域）内で転送されてもよいことも、発明者により検討される。
【００１４】
図１の無線通信システム１００に関連して、この発明は、第２のスペクトル領域を介して転送される非オーディオ情報内でデグラデーション（ｄｅｇｒａｄａｔｉｏｎ）を利用し、チャネル障害又は他の異常が第１のスペクトル領域内で運ばれるオーディオ情報又は音声情報の忠実度に影響を与える可能性があるか、又はその忠実度を減少させる可能性があるか否かを決定する。伝送出力レベルは、このようなデグラデーション（ｄｅｇｒａｄａｔｉｏｎ）に応じて調整される。
【００１５】
図２は、図１のシステムでの使用に適した例示的なコントローラのブロックを表したものである。具体的には、図２の例示的なコントローラ２００は、プロセッサ２３０と、多様なプログラム２４５を格納するメモリ２４０とを有する。プロセッサ２３０は、電源やクロック回路やキャッシュメモリ等のような従来のサポート回路２２０、及びメモリ２４０に格納されたソフトウェアルーチンを実行する役割をする回路と協調する。従って、ここでソフトウェア処理として説明される処理ステップのうちのいくつかは、例えばプロセッサ２３０と協調して多様なステップを実行する回路として、ハードウェア内に実装されてもよいことが検討される。コントローラ２００はまた、コントローラ２００と通信する多様な機能要素間のインタフェースを形成する入出力（Ｉ／Ｏ）回路２１０を有する。例えば、図３に関して後述する図１のコードレス基地局１０２の実施例では、図２のコントローラ２００は、図３のコントローラ３０２として利用され、そのコントローラ３０２は、Ｉ／Ｏ回路２１０を介してディスプレイ回路３０８と、キーパッド回路３１０と、送信機３１８と、他の回路に結合される。一般的に、有利には図２のコントローラ２００は、ここで説明される如何なるコントローラとして使用されてもよい。
【００１６】
図３は、図１のコードレス基地局１０２、コードレスハンドセット１０８又は遠隔無線装置１４０のうちのいずれかとして使用するのに適した装置のハイレベルのブロック図を表したものである。概略のブロック図は、コードレス基地局１０２又はコードレスハンドセット１０８について示したものである。その理由は、各装置に類似の構成要素が存在するからである。以下の説明において、図３の概略図は、コードレスハンドセット１０８を示すものとして参照される。
【００１７】
図示のように、図３のコードレスハンドセット１０８は、コントローラ３０２や、ユーザインタフェース回路３０４や、トランシーバ回路３０６のような電気構成要素を有する。ユーザインタフェース回路３０４は、液晶ディスプレイ（ＬＣＤ）のような画像表示に関して使用されるディスプレイ回路３０８と、キーパッドに関して使用されるキーパッド回路３１０と、スピーカ３１２及びマイクロフォン３１４に関して使用されるオーディオ回路３１６とを有する。トランシーバ回路３０６は、送信機３１８と、受信機３２０と、アンテナ３２２とを有する。トランシーバ回路３０６は、通信用のＲＦ技術、特に周波数変調（ＦＭ）技術を使用する。トランシーバ回路３０６は、９００ＭＨｚ又は２．４ＧＨｚの工業用、科学用、医療用（ＩＳＭ）帯域でＦＭ技術を利用することが好ましい。代替として、トランシーバ回路３０６は、時分割多重アクセス方式（ＴＤＭＡ）又は符号分割多重アクセス方式（ＣＤＭＡ）の通信機構のような他の周知の通信技術を利用してもよい。
【００１８】
次に、図３のコードレスハンドセット１０８の基本動作について説明する。コードレスハンドセット１０８のエンドユーザが電話呼出に関与すると、エンドユーザは可聴音声信号をマイクロフォン３１４に話し又は伝え、そのマイクロフォン３１４は、情報を処理するオーディオ回路３１６に低レベルのアナログ信号を提供する。この情報は、送信機３１８に伝えられ、アンテナ３２２を通じてＲＦ信号を介してコードレス基地局１０２（図１）に伝送される。他方、図３のコードレスハンドセット１０８は、アンテナ３２２及び受信機３２０を通じて、コードレス基地局１０２（図１）からＲＦ信号を受信し、その受信機３２０は、ＲＦ信号を処理してオーディオ回路３１６に提供する。オーディオ回路３１６は、その信号を処理し、スピーカ３１２に提供する。そのスピーカ３１２は、エンドユーザに対して可聴音声信号を生成する。コントローラ３０２は、必要に応じて、送信機３１８と受信機３２０とオーディオ回路３１６に対して一般的な制御を提供する。
【００１９】
キーパッド回路３１０で使用されるキーパッドは、従来の電話キー（すなわち、ＤＭＴＦ（ｄｕａｌ−ｔｏｎｅ  ｍｕｌｔｉｐｌｅ  ｆｒｅｑｕｅｎｃｙ）キーである０−９と＊と＃）と、制御キーを一般的に有する。エンドユーザはキーパッドのキーを押すことにより電話呼出を開始し、キーパッド回路３１０は、押された各キーを一意に検出し、この情報をコントローラ３０２に提供する。次に、コントローラ３０２は、適切な形式でこのＤＴＭＦキー選択データを送信機３１８に渡し、それにより、それがアンテナ３２２からコードレス基地局１０２（図１）に伝送され得る。それに応じて、コードレス基地局１０２（図１）は、電話呼出を始めるＤＴＭＦキー選択データに基づいてＤＴＭＦトーンを生成する。キーパッドは、コードレス基地局１０２とハンドセット１０８が通信用に使用するチャネルを切り替える場合のように、他の理由にも同様に使用される。
【００２０】
ディスプレイ回路３０８で使用される視覚表示（例えばＬＣＤ）は、作動時に視覚的にキーを表示することにより、押されたキーの識別表示を確認する。視覚表示はまた、発信者番号（ＩＤ）情報や、現在日時や、現在のチャネル番号のようなエンドユーザに有用な他の情報を表示する。ＰＳＴＮで電話呼出が受信されると、発信者ＩＤ情報は、コードレス基地局１０２（図１）からコードレスハンドセット２０８に伝送される。コントローラ３０２は、そのようなデータを受信機３２０から受信し、適切な形式で表示用にディスプレイ回路３０８に渡す。
【００２１】
本発明に関して、キャリア周波数の第１及び第２のスペクトル領域によるオーディオ情報と非オーディオ情報の同時伝送は、例えば基地局１０２とコードレスハンドセット１０８（又は遠隔装置１４０／１２０）との間の単一の通信チャネルを形成する。図１の無線通信システム１００に関して、複数のそのような通信チャネルが使用され、各通信チャネルは、それに関連してそれぞれ第１及び第２のスペクトル領域内でオーディオ情報及び非オーディオ情報を伝搬するキャリア周波数Ｆｃを有する。図４と図５に関連して後述する本発明の実施例は、コードレスハンドセットとの基地局の通信に関して説明が行われる。しかし、オーディオデータと非オーディオデータを運ぶ第１及び第２のスペクトル領域を有する複数のチャネルを利用する如何なる無線通信システムでもよい。
【００２２】
図４は、基地局での使用に適した本発明による方法のフローチャートを表したものである。具体的には、方法４００は、ハンドセット又は移動体装置にその伝送出力を減少させるように、本発明の一実施例の基地局により実行されるステップを有する。
【００２３】
図４の方法はステップ４０５で始まり、基地局はハンドセット又は他の無線通信装置からデータメッセージを受信する。データメッセージは、基地局と所望の無線通信装置との間の通信を促進する通信チャネルの第２のスペクトル領域内で伝送される。本発明の一実施例において、データメッセージは定期的な間隔で無線通信装置により送信される。定期的な間隔は、無線通信装置がユーザからのオーディオ入力をアクティブに送受信する間の時間、及び／又は無線通信装置が非アクティブ、すなわち“スタンバイ”モードである時間を有してもよい。
【００２４】
ステップ４１０において、基地局は、ハンドセットから受信したデータ情報を分析する。すなわち、前述のように、通信チャネルは、そこで変調された第１のスペクトル領域内のオーディオ情報と第２のスペクトル領域内のデータとを有する無線周波数（ＲＦ）キャリア信号を有する。従って、ステップ４１０において、第２のスペクトル領域に含まれるデータ情報が基地局により分析され、信号の強度が適切であるか否か、誤りが存在するか否か等を決定する。
【００２５】
ステップ４１５において、ハンドセット又は無線装置の伝送出力の変化が適切であることをステップ４１０の分析が示すか否かについて、クエリが行われる。出力における変化が適切でない場合には、方法４００はステップ４０５に進む。そうでない場合には、ステップ４２０において、基地局は、ハンドセット又は無線装置にその伝送出力を調整させるように適合されたデータコマンドをハンドセット又は無線装置に送信する。ステップ４２０の実行の後に、方法４００はステップ４０５に進む。
【００２６】
本発明の一実施例では、図４の方法４００は、ハンドセット又は無線装置に、閾値より下のデータ誤り率を達成するために必要な最小出力レベルで伝送させるように適合される。この閾値レベルは、伝送チャネルの第１のスペクトル領域で伝送されるオーディオ情報の最小の許容範囲の忠実度に対応するように選択されることが好ましい。従って、ステップ４２０でハンドセットに送信されるデータコマンドは、絶対項で又は増分で、伝送出力レベルが減少又は増加すべきことを示す。出力における絶対の減少又は増加は、伝送出力が減少又は増加すべき量をベースユニットが決定し、この決定をデータコマンドでハンドセット又は無線装置に提供することを有する。出力における増分の減少又は増加は、出力がある量だけ減少又は増加すべきことを基地局が単に決定し、ハンドセット又は無線装置がそれぞれ所定の量だけ伝送出力を減少又は増加することを有する。
【００２７】
図５は、図１に関して前述したようなハンドセット又は移動体装置での使用に適した本発明による方法のフローチャートを表したものである。図５の方法５００は、ステップ５０２で始まり、事前設定の出力レベル又は初期出力レベルが選択される。ステップ５０５において、ハンドセットが選択された出力レベルでデータメッセージを送信する。前述のように、データメッセージは、通信チャネルの第２のスペクトル領域、すなわち非オーディオスペクトル領域で伝送される。ステップ５１０において、ハンドセットは、基地局からデータメッセージを受信する。ステップ５１５において、ステップ５１０で受信したデータメッセージが伝送出力を調整するデータコマンドを含むか否かについてクエリが行われる。伝送出力調整コマンドがメッセージに含まれない場合には、方法５００はステップ５０５に進む。その他の場合には、方法５００はステップ５２０に進む。
【００２８】
ステップ５２０において、ハンドセットは、伝送出力調整コマンドに応じて伝送出力レベルを変更する。絶対の出力調整コマンドに応じて、ハンドセットの出力レベルは、データコマンドに含まれる量だけ増加又は減少する。相対的な出力調整コマンドの場合には、所定の量だけ出力レベルが増加又は減少する。ステップ５２０において、新しい出力レベルが出力調整コマンド毎に選択され、方法５００はステップ５０５に進む。
【００２９】
前述の図面は、無線通信装置内の遠隔ユニット（例えばハンドセット）により利用される伝送出力の増加又は減少を有利に提供し、それによって遠隔装置のバッテリ出力を節約する機構を提供する。本発明は、特にデータ・オーバー・ボイス（ＤｏＶ：Ｄａｔａ  ｏｖｅｒ  Ｖｏｉｃｅ）ハードウェアに関して主に説明されたが、本発明は、情報を示す伝送出力を有するデータチャネルが使用される如何なる通信システムでも利用され得る。従って、本発明は、既存の音声会話に支障をきたすことを回避するような方法で、通信装置におけるチャネル選択を有利に可能にする。
【００３０】
本発明の教示を組み込んだ多様な実施例がここに詳細に示されて説明されたが、当業者は、この教示を更に組み込んだ他の多数の変更実施形態を容易に考案することができる。
【図面の簡単な説明】
【００３１】
【図１】本発明の実施例による無線通信システムのハイレベルのブロック図を表したものである。
【図２】図１のシステムでの使用に適した例示的なコントローラのハイレベルのブロック図を表したものである。
【図３】図１の無線通信システムでの使用に適した基地局又はハンドセットのような無線通信装置のハイレベルのブロック図を表したものである。
【図４】基地局での使用に適した本発明による方法のフローチャートを表したものである。
【図５】ハンドセット又は移動体装置での使用に適した本発明による方法のフローチャートを表したものである。
【図１】
2005538580.tif 000003
【図２】
2005538580.tif 000004
【図３】
2005538580.tif 000005
【図４】
2005538580.tif 000006
【図５】
2005538580.tif 000007
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
基地局で受信する同じ通信チャネルの各スペクトル領域で音声とデータを同時に送信する送信機と、
前記送信機により送信される音声とデータのうちの少なくとも１つの受信品質を示す前記基地局からの少なくとも１つの信号を受信する受信機と、
前記基地局の信号に応じ、前記送信機により送信される音声とデータのうちの少なくとも１つの受信品質に応じて前記送信機の出力レベルを調整する手段と
を有する移動体通信端末。
【請求項２】
請求項１に記載の端末であって、
前記出力レベルが、前記基地局の信号に応じて、所定の量だけ適合される端末。
【請求項３】
請求項１に記載の端末であって、
前記送信機の前記出力レベルが、前記基地局の信号で指定された量に従って適合される端末。
【請求項４】
プロセッサにより実行されると、
無線装置からデータメッセージを受信し、第１のスペクトル領域でオーディオデータを伝搬し、同じ通信チャネルの第２のスペクトル領域で非オーディオデータを伝搬する各キャリア周波数を有する関連する同じ通信チャネルを介して通信し、前記データメッセージは、前記第２のスペクトル領域を介して受信され、それに関連して伝送出力レベルを有するステップと、
前記データメッセージを分析して前記伝送出力レベルが適切であるか否かを決定するステップと、
前記通信チャネルの前記第２のスペクトル領域を介して前記無線装置にデータコマンドを送信し、前記データコマンドは、前記無線装置に前記伝送出力レベルを調整させるように適合されるステップと
を実行するソフトウェア命令を有するコンピュータ読取可能媒体。
【請求項５】
複数の通信チャネルを利用する無線通信システムにおいて、
各チャネルは、それに関連して第１のスペクトル領域でオーディオデータを伝搬し、同じ通信チャネルの第２のスペクトル領域で非オーディオデータを伝搬する各キャリア周波数を有し、
通信チャネルの前記第２のスペクトル領域を介して無線装置からデータメッセージを受信し、前記データメッセージはそれに関連して伝送出力レベルを有し、
前記データメッセージを分析して前記伝送出力レベルが適切であるか否かを決定し、
前記通信チャネルの前記第２のスペクトル領域を介して前記無線装置にデータコマンドを伝送し、前記データコマンドは、前記無線装置に前記伝送出力レベルを調整させるように適合されることを有する方法。
【請求項６】
請求項５に記載の方法であって、
前記分析するステップが、前記伝送出力レベルが減少してもよいか否かを決定することを有する方法。
【請求項７】
請求項６に記載の方法であって、
前記分析するステップが、出力レベルの減少量を決定することを更に有し、
前記データコマンドが、前記無線装置に所定の量だけ前記伝送出力レベルを減少させるように適合される方法。
【請求項８】
請求項５に記載の方法であって、
前記分析するステップが、前記データメッセージが閾値レベルを超える誤りを有するか否かを決定することを有し、
誤りが前記閾値レベルを超える場合に、前記データコマンドが、前記無線装置に所定の量だけ前記伝送出力を増加させるように適合される方法。
【請求項９】
請求項５に記載の方法であって、
前記分析するステップが、前記データメッセージが閾値レベルを超える誤りを有するか否かを決定することを有し、
誤りが前記閾値レベルを超える場合に、前記データコマンドが、前記無線装置に前記閾値レベルを超える前記誤りを回避するように計算された量だけ前記伝送出力を増加させるように適合される方法。
【請求項１０】
請求項５に記載の方法であって、
前記受信するステップと分析するステップと伝送するステップが、前記無線装置に最小伝送出力で伝送させるように定期的に繰り返される方法。
【請求項１１】
請求項５に記載の方法であって、
前記通信チャネルの前記第１のスペクトル領域のオーディオデータが、前記通信チャネルの前記第２のスペクトル領域の非オーディオデータと同時に伝搬される方法。
【請求項１２】
複数の通信チャネルを利用する無線通信システムにおいて、
各チャネルが、それに関連して第１のスペクトル領域でオーディオデータを伝搬し、同じ通信チャネルの第２のスペクトル領域で非オーディオデータを伝搬する各キャリア周波数を有し、
（ａ）通信チャネルの前記第２のスペクトル領域を介してベースユニットにデータメッセージを伝送し、前記データメッセージはそれに関連して伝送出力レベルを有し、
（ｂ）前記通信チャネルの前記第２のスペクトル領域を介して前記ベースユニットからデータコマンドメッセージを受信し、
（ｃ）前記データコマンドに含まれる伝送出力調整コマンドに応じて、前記伝送出力レベルを調整することを有する方法。
【請求項１３】
請求項１２に記載の方法であって、
前記伝送出力調整コマンドが、適切な伝送出力レベルを示す方法。
【請求項１４】
請求項１２に記載の方法であって、
前記伝送出力調整コマンドが、前記伝送出力レベルが所定の量だけ減少すべきか否かを示す方法。
【請求項１５】
請求項１２に記載の方法であって、
前記伝送出力調整コマンドが、前記伝送出力レベルが所定の量だけ増加すべきか否かを示す方法。
【請求項１６】
同じ通信チャネルの各スペクトル領域で音声とデータを同時に送信するハンドセット送信機と、
前記ハンドセット送信機により送信される音声とデータを受信し、前記受信した音声とデータのうちの少なくとも１つの品質を示す信号に応じて送信する基地局と、
前記基地局の信号を受信するハンドセット受信機と、
前記基地局の信号に応じ、前記送信機により送信される音声とデータのうちの少なくとも１つの受信品質に応じて前記送信機の出力レベルを調整する手段と
を有するコードレス電話システム。
【請求項１７】
基地局で受信する同じ通信チャネルの各スペクトル領域で音声とデータを同時に送信し、
送信機により送信される音声とデータのうちの少なくとも１つの受信品質を示す前記基地局からの少なくとも１つの信号を受信し、
前記送信機により送信される音声とデータのうちの少なくとも１つの前記受信品質に応じて前記送信機の出力レベルを調整することを有する無線通信方法。
【国際調査報告】
2005538580.tif 000008